(57)【特許請求の範囲】
【請求項１】
机の側辺部に設けられ、天板下方の収納部と天板上との間を昇降して、上下方向の高さ位置が調整できる立設パネルとして、あるいは天板上面に重合して作業用天板として利用可能な昇降式パネルを備える机において、
前記昇降式パネルは、上部パネルと下部パネルは屈曲可能に分割され、その上下方向にはそれぞれ離隔して複数の係止溝が設けら、前記机本体側には、前記係止溝に係脱可能な係止部が常時前記係止溝方向に付勢するように設けられ、前記天板上面所定箇所には、前記係止溝と前記係止部との係止を解除する操作部が設けられ、前記下部パネルの最下部に設けられた係止溝が係止部により係止された時に、上部パネルと下部パネルとの分割した部分が天板上に出現して、上部パネルが天板上面に重合するように屈曲されるようになっていることを特徴とする昇降式パネルを備える机。
【請求項２】
前記収納部内に固着された巻取ローラと、一端が下部パネルの下端に固着され、他端が巻取ローラに固着された巻バネとからなる定荷重バネ装置が設けられている請求項１に記載の昇降式パネルを備える机。
【請求項３】
前記上部パネルと下部パネルはとはダンパーヒンジにより連結されている請求項１または２に記載の昇降式パネルを備える机。
【発明の詳細な説明】
【０００１】
【発明の属する技術分野】
本発明は、机本体の側辺部に、昇降式パネルが天板上に出没自在に設けられた昇降式パネルを備える机に関する。
【０００２】
【従来の技術】
従来、机本体の側辺部に、昇降式パネルが天板上に出没自在に設けられた昇降式パネルを備える机としては、例えば特開平９−１９１９４６号公報等が開示されており、この机においては、圧縮スプリングにより付勢されたストッパピンがパネルに固着されたスライドレールに形成された孔に嵌入されることにより、パネルが所望の高さ位置にて保持され、パネルを強く動かせば前記孔とストッパピンとの係合が解除されてパネルが昇降自在となるように構成されている。
【０００３】
【発明が解決しようとする課題】
しかしながら、このような机にあっては昇降装置の構造を複雑にすることなく、パネルをスライドレールを介して迅速かつ容易に昇降・停止操作を行うことが出来るが、特にパネル自体が大きく、重くなるような場合にあっては、所定高さ位置で確実に保持させておくことが難しいといった問題があった。
【０００４】
本発明は、このような問題点に着目してなされたもので、パネルを迅速かつ容易に昇降出来るとともに、所望の高さ位置にて確実に係止することが出来る昇降式パネルを備える机を提供することを目的とする。
【０００５】
【課題を解決するための手段】
上記課題を解決するために、本発明の昇降式パネルを備える机は、机の側辺部に設けられ、天板下方の収納部と天板上との間を昇降して、上下方向の高さ位置が調整できる立設パネルとして、あるいは天板上面に重合して作業用天板として利用可能な昇降式パネルを備える机において、
前記昇降式パネルは、上部パネルと下部パネルは屈曲可能に分割され、その上下方向にはそれぞれ離隔して複数の係止溝が設けら、前記机本体側には、前記係止溝に係脱可能な係止部が常時前記係止溝方向に付勢するように設けられ、前記天板上面所定箇所には、前記係止溝と前記係止部との係止を解除する操作部が設けられ、前記下部パネルの最下部に設けられた係止溝が係止部により係止された時に、上部パネルと下部パネルとの分割した部分が天板上に出現して、上部パネルが天板上面に重合するように屈曲されるようになっていることを特徴としている。
この特徴によれば、立設パネルとして、あるいは天板上面に重合して作業用天板として利用できるので便利である。そして昇降式パネルの上下方向に複数に設けられた係止溝に係止可能な係止部が常時係止溝方向に付勢されているので、係止部が前記係止溝内に係止された時に、昇降式パネルが所定高さ位置に確実に保持される。また、係止部と係止溝との係止は天板上面に設けられた操作部を介して容易に解除出来るので、簡単な操作で昇降式パネルを昇降自在としたり、所望の高さ位置にて保持することが出来る。更に、上部パネルの屈曲時において下部パネルが係止されているため、上部パネルを簡単に屈曲させることが出来る。
【０００６】
本発明の昇降式パネルを備える机は、前記収納部内に固着された巻取ローラと、一端が下部パネルの下端に固着され、他端が巻取ローラに固着された巻バネとからなる定荷重バネ装置が設けられていることが好ましい。
このようにすれば、巻取ローラに巻き付こうとする力で下部パネルが上方に付勢されているので、使用者は小さな力で昇降式パネルを容易に上方に引き出すことが出来るとともに、昇降式パネルの急落下が防止され、安全性が向上する。
【０００７】
本発明の昇降式パネルを備える机は、前記上部パネルと下部パネルはとはダンパーヒンジにより連結されていることが好ましい。
このようにすれば、屈曲時において上部パネルの急激な屈曲が防止される。
【０００８】
【発明の実施の形態】
以下、本発明の実施例を図面に基づいて説明すると、まず図１には本発明の実施例としての昇降式パネルを備える机１が示されており、２は天板、３は天板２上面に固設された製図台、４、４は天板２を支持する脚体、５は天板２上に出没自在に設けられたパネルをそれぞれ示している。なお、６は製図台３に設けられた平行定規である。
【０００９】
机１の後部には、図２、３に示されるように、机１の背板７、背板７前方の仕切板８、上面板９とからパネル５の収納部Ｓが構成されており、パネル５が収納可能になっている。本実施例におけるパネル５は、上部パネル５ａと下部パネル５ｂとに上下方向に分割されており、両パネル５ａ、５ｂとはダンパーヒンジ１０により連結され、上部パネル５ａが前方に屈曲可能になっている。
【００１０】
下部パネル５ｂの背面側には背板７の左右側に上下方向に伸びる横断面略Ｃ字型のガイドレール１１内に上下方向に摺動自在に嵌合される横断面略Ｈ型のガイド部材１２（図４参照）が固着されており、パネル５はこのガイドレール１１にガイドされた状態で、上面板９に形成された開口部１３を介して収納部Ｓ内と天板２上との間を昇降出来るようになっている。
【００１１】
パネル５は、収納部Ｓ内における仕切板８の上部に固着された巻取ローラ１４と、一端が下部パネル５ｂの下端に固着され、他端が巻取ローラ１４に固着された巻バネ１５とからなる定荷重バネ装置１６が設けられており、巻取ローラ１４に巻き付こうとする力でパネル５が上方に付勢されているので、使用者は小さな力でパネル５を容易に上方に引き出すことが出来るとともに、パネル５の急落下が防止されている。
【００１２】
パネル５の左右両側には、図３、図５（ａ）、（ｂ）に示されるように先端に係止凹部１７が形成されたＬ字型の係止片１８、１８’、１８’’が、係止凹部１７がパネル５の前方に突出するようにそれぞれ上下に互いに所定距離ずつ離間して固着されている。なお、係止凹部１７の上下には、パネル５の前面Ｆから先端に突設された係止凹部１７に向かって傾斜するテーパ面１８ａが形成されている。
【００１３】
収納部Ｓ内上部には、係止片１８、１８’、１８’’の係止凹部１７に係止可能な係止杆１９が軸２０を介して枢支されている。この係止杆１９はパネル５の前面Ｆ側に収納部Ｓの左右方向にわたって設けられており、背板７に一端が固着されたバネ２１により常時後方、すなわちパネル５の前面Ｆに向かって付勢されている。また、係止杆１９と軸２０との連設部からは、係止杆１９を軸２０を介して回動操作可能な操作レバー２３が上面板９に形成された長穴２２を介して上面板９の上方まで延設されており、この操作により係止杆１９と係止凹部１７との係止が解除されるようになっている。
【００１４】
よって図５（ｂ）に示されるように係止杆１９はパネル５の昇降に伴い上昇もしくは下降してくる係止片１８のテーパ面１８ａに押圧されて回動され、係止凹部１７内に自動的に嵌入され、パネル５が所定の位置にて適宜保持されるようになっている。また、操作レバー２３を図５（ｂ）中２点鎖線で示される位置に倒せば、係止凹部１７と係止杆１９との係止が解除されるので、パネル５が昇降自在になる。
【００１５】
また、上部パネル５ａの前面Ｆの上端部には、図２に示されるように上部パネル５ａが前方に屈曲された時に製図板３の上面３ａに当接され、上面３ａとパネル５ａの前面Ｆとの間に所定空間を形成すべく突出部材２４が固着されている。この突出部材２４はゴム素材等により構成されており、当接された時に生じる衝撃が緩和されるようになっている。
【００１６】
次に、このように構成された本発明の机１におけるパネル５の作用を図面に基づいて説明すると、パネル５が収納部Ｓ内にある時、パネル５は定荷重バネ装置１６により上方へ付勢されているが、左右それぞれ最上部の係止片１８’’の係止凹部１７内に後方に付勢された係止杆１９が嵌入されているので、収納部Ｓ内に確実に保持されている。
【００１７】
ここでパネル５を天板２上面に立設して使用しようとする場合、例えば操作レバー２３を図５（ｂ）中２点鎖線で示す位置まで移動させると、係止片１８’’の係止凹部１７と係止杆１９との係止が解除され、パネル５が昇降自在となる。この時パネル５は定荷重バネ装置１６による上方への付勢作用により急速に下降することがなく、かつ使用者は容易に上方へ引き出すことが出来る。
【００１８】
ついでパネル５が図３中２点鎖線で示される位置まで上昇されると、係止片１９が中段の係止片１８’のテーパ面１８ａに沿って従動され、係止凹部１７内に自動的に嵌入されることにより保持される。この状態では上部パネル５ａと下部パネル５ｂとの分割部は上面板９の下方にあるので、上部パネル５ａはガイドレール１１と開口部１３の開口端縁により立設状態に支持されることになる。この状態でパネル５は目隠しパネルとして利用できる他、その前面Ｆを書類等のピンナップ用のボードとして利用することも出来る。
【００１９】
さらにパネル５が図３中左側実線で示される位置まで上方へ引き出されると、上部パネル５ａと下部パネル５ｂとの分割部が上面板９の上方に出現され、上部パネル５ａが前方に屈曲可能な状態になる。そして上部パネル５ａを図２中実線で示されるように前方に屈曲して突出部材２４が製図板３の上面３ａ上に当接されると、製図板３上が上部パネル５ａの後面Ｂにより覆われて、後面Ｂ上を天板として利用することが可能となるため、他の作業を同スペース上にて行うことが可能となる。
【００２０】
この時突出部材２４が所定長さを有していることにより、製図板３の上面３ａと上部パネル５ａの前面Ｆとの間に空間が構成されるので、製図板３の上面３ａ上の物品、例えば平行定規や書類、図面、鉛筆等が押し潰されることなく、作業途中で製図板３の上面３ａを一旦整理することなく、他の作業を後面Ｂ上で行うことが可能となる。また、製図板３での作業に戻るときは、パネル５を立設させ、操作レバー２３を介してパネル５を下降させればよい。
【００２１】
また、この時下部パネル５ｂは最下部の係止片１８の係止凹部１７に係止杆１９が嵌入されて係止状態にあるため、上部パネル５ａの屈曲操作中において下部パネル５ｂが落下することがなく、また、ダンパーヒンジ１０により上部パネル５ａの急激な屈曲が防止されているので、確実に、かつ安全に上部パネル５ａを屈曲させることが出来る。
【００２２】
よって本実施例においては、パネル５はパネル５左右端部に設けられた複数の係止凹部１７と係止杆１９との係止により確実にパネルを所望の位置に保持させることが出来る。また、係止杆１９がバネ２１により係止片１８方向に付勢され、この係止片１８にテーパ面１８ａが形成されていることで、パネル５を昇降させるだけで係止杆１９と係止凹部１７とが自動的に係止されるので、安全であるとともに、上面板９上に設けられた操作レバー２３を操作するだけで簡単に係止解除出来るので、パネル５を確実にかつ迅速に昇降・停止自在とすることが出来る。
【００２３】
以上、本発明の実施例を図面により説明してきたが、具体的な構成はこれら実施例に限られるものではなく、本発明の要旨を逸脱しない範囲における変更や追加があっても本発明に含まれる。
【００２４】
例えば、係止杆１９及び係止凹部１７との形状等は種々に変形可能であるとともに、係止片１８、１８’、１８’’の固設位置、数等も任意に変更可能であり、その設定を変えることで、パネル５を所望の位置にて保持させることが出来る。
【００２５】
また、上部パネル５ａと下部パネル５ｂとがロータリーダンパにより連結されていてもよい。
【００２６】
【発明の効果】
本発明は以下の効果を奏する。
【００２７】
（ａ）請求項１項の発明によれば、立設パネルとして、あるいは天板上面に重合して作業用天板として利用できるので便利である。そして昇降式パネルの上下方向に複数に設けられた係止溝に係止可能な係止部が常時係止溝方向に付勢されているので、係止部が前記係止溝内に係止された時に、昇降式パネルが所定高さ位置に確実に保持される。また、係止部と係止溝との係止は天板上面に設けられた操作部を介して容易に解除出来るので、簡単な操作で昇降式パネルを昇降自在としたり、所望の高さ位置にて保持することが出来る。更に、上部パネルの屈曲時において下部パネルが係止されているため、上部パネルを簡単に屈曲させることが出来る。
【００２８】
（ｂ）請求項２項の発明によれば、巻取ローラに巻き付こうとする力で下部パネルが上方に付勢されているので、使用者は小さな力で昇降式パネルを容易に上方に引き出すことが出来るとともに、昇降式パネルの急落下が防止され、安全性が向上する。
【００２９】
（ｃ）請求項３項の発明によれば、屈曲時において上部パネルの急激な屈曲が防止される。
【００３０】
【図面の簡単な説明】
【図１】本発明の実施例としての昇降式パネルを備える机の使用状態を示す斜視図である。
【図２】図１の机の一部破断側面図である。
【図３】図２のＡ−Ａ断面図である。
【図４】パネルのガイドレールの構造を示す斜視図である。
【図５】（ａ）はパネルを上昇させている状態の係止装置の作用を示す要部斜視図であり、（ｂ）は（ａ）の状態からパネルを屈曲させる時の係止装置の作用を示す要部斜視図である。
【符号の説明】
１            机
２            天板
３            製図板
３ａ          上面
４            脚体
５            パネル
５ａ          上部パネル
５ｂ          下部パネル
６            製図板
６ａ          上面
７            背板
８            仕切板
９            上面板
１０            ダンパーヒンジ
１１            スライドレール
１２            ガイド部
１３            開口部
１４            巻取ローラ
１５            巻バネ
１６            定荷重バネ装置
１７            係止凹部（係止溝）
１８〜１８’’    係止片
１８ａ          テーパ面
１９            係止杆（係止部）
２０            軸
２１            バネ
２２            長穴
２３            操作レバー
２４            突出部材
Ｂ              後面
Ｆ              前面
Ｓ              収納部
【図１】
0004046417.tif 000002
【図２】
0004046417.tif 000003
【図３】
0004046417.tif 000004
【図４】
0004046417.tif 000005
【図５】
0004046417.tif 000006